(57)【要約】      （修正有）【課題】本体の外側面に設けられた収納部の開口部を開閉するスライドファスナーが、外観から視認されづらく、かつ、開閉が容易な鞄を提供する。【解決手段】本体の外側面１に収納部２を有する鞄であって、前記収納部２は、開口部３の一方の端部から他方の端部にかけて設けられたスライドファスナーＦによって開閉可能になっており、前記開口部３の一方の端部近傍と、前記スライドファスナーＦのスライダーＳとの間に取り付けられた帯状体４を有し、前記開口部３が閉状態において、噛合された一対のファスナーエレメント列が前記帯状体４によって覆われる。【選択図】図１
0003196969.tif 000002
【実用新案登録請求の範囲】
【請求項１】
本体の外側面に収納部を有する鞄であって、
前記収納部は、開口部の一方の端部から他方の端部にかけて設けられたスライドファスナーによって開閉可能になっており、
前記開口部の一方の端部近傍と、前記スライドファスナーのスライダーとの間に取り付けられた帯状体を有し、
前記開口部が閉状態において、噛合された一対のファスナーエレメント列が前記帯状態によって覆われる鞄。
【請求項２】
前記開口部が閉状態において、開口部の一端側とスライダーまでのスライドファスナーが、前記帯状体に略覆われる請求項１に記載の鞄。
【請求項３】
前記収納部が、鞄の前面に設けられている請求項１又は請求項２に記載の鞄。
【請求項４】
前記前面を構成する前面形成部材における側縁近傍に上下方向に向けて細長い略長方形状の開口部を有し、
前記帯状体の一端側は、前面形成部材の裏面における開口部の下端近傍に縫着され、帯状体の他端側は、連結部材を介してスライダーの引手取付孔に取り付けられている請求項３に記載の鞄。
【請求項５】
前記帯状体の表面に模様が施されている請求項１から請求項４のいずれかに記載の鞄。
【考案の詳細な説明】
【技術分野】
【０００１】
本考案は、本体の外側面に収納部を有する鞄に関するものである。
【背景技術】
【０００２】
従来より、本体の外側面に設けられた収納部の開口部を、スライドファスナーによって開閉する鞄が知られている（例えば、特許文献１）。
【先行技術文献】
【特許文献】
【０００３】
【特許文献１】実用新案登録第３０９５８９６号公報
【考案の概要】
【考案が解決しようとする課題】
【０００４】
しかしながら、収納部の開閉に用いられるスライドファスナーは、向かい合う一対のファスナーテープの対向する各側縁部に配列されたエレメント（以下「エレメント列」という。）にスライダーが挿通され、このスライダーをエレメント列に沿って摺動させることにより、エレメント列を噛合又は分離させて、開口部を開閉する構成のものである。そのため、少なくともスライダーが摺動する範囲のスライダーファスナーが露出した状態にて開口部に縫着されることとなり、収納部が鞄の外側面に設けられている場合、外観からスライドファスナーが視認できるので、非常に体裁が悪かった。
【０００５】
また、スライドファスナーを開閉する引手は、小片部材であるため、手が不自由な人や、手袋を装着した人が収納部を開閉する場合、開閉しづらい場合があった。
【０００６】
本考案は、上記課題に鑑みてなされたものであって、その目的とするところは、本体の外側面に設けられた収納部の開口部を開閉するスライドファスナーが、外観から視認されづらく、意匠性に優れた外観を有し、かつ、開閉が容易な鞄を提供することにある。
【課題を解決するための手段】
【０００７】
前記した目的を達成するために、本考案に係る鞄は、本体の外側面に収納部を有し、前記収納部は、開口部の一方の端部から他方の端部にかけて設けられたスライドファスナーによって開閉可能になっており、前記開口部の一方の端部近傍と、前記スライドファスナーのスライダーとの間に取り付けられた帯状体を有し、前記開口部が閉状態において、噛合された一対のファスナーエレメント列が前記帯状態によって覆われている。
【０００８】
前記開口部が閉状態において、開口部の一端側とスライダーまでのスライドファスナーが、前記帯状体に略覆われるようにすることができる。
【０００９】
前記収納部を、鞄の前面に設けることができる。
【００１０】
前記前面を構成する前面形成部材における側縁近傍に上下方向に向けて細長い略長方形状の開口部を有し、前記帯状体の一端側は、前面形成部材の裏面における開口部の下端近傍に縫着され、帯状体の他端側は、連結部材を介してスライダーの引手取付孔に取り付けることができる。
【００１１】
前記帯状体の表面に模様を施すことができる。
【考案の効果】
【００１２】
このように、本考案に係る鞄によれば、本体の外側面に設けられた収納部の開口部を開閉するスライドファスナーが、外観から視認されづらく、意匠性に優れた外観を有し、かつ、開閉が容易となる。
【図面の簡単な説明】
【００１３】
【図１】本考案の一実施形態に係る鞄の前面側を示す図である。
【図２】収納部の開口部が図１と異なる位置に設けられている鞄の一例を示す図である。
【図３】図１の開口部が閉状態の一部拡大図である。
【図４】図１の開口部が開状態の一部拡大図である。
【考案を実施するための形態】
【００１４】
以下、本考案に係る実施形態を図面に従って説明するが、本考案はこの実施形態に限定されるものではない。
【００１５】
本考案に係る鞄は、本体の外側面１に収納部２を有しており、この収納部２の開口部３がスライドファスナーＦによって開閉可能になっている。
【００１６】
図１は、本考案の一実施形態に係る鞄の前面１１側を示す図である。ここで、本明細書において、「鞄の前面１１とは」使用者の体に当接する面と反対側を向く面のことをいう。
【００１７】
図１に示す鞄は、鞄の前面１１を構成する前面形成部材１２における側縁１３近傍に上下方向に向けて細長い略長方形状の開口部３が設けられており、前面形成部材１２の裏側における開口部３の周縁に、スライドファスナーＦのファスナーテープＦＴが縫着されている。なお、図１に示す鞄は、前面１１を構成する前面形成部材１２における左側の側縁１３近傍に開口部３を設けているが、開口部３の位置は特に限定されるものではなく、例えば、前面形成部材１２における右側の側縁１３近傍に設けてもよいし（図示しない）、図２に示すように、前面１１を構成する前面形成部材１２における上縁１４近傍に、左右方向に向けて開口部３を設けてもよい。また、収納部２の位置、大きさ等も特に限定されるものではない。
【００１８】
スライドファスナーＦは、向かい合う一対のファスナーテープＦＴの対向する各側縁１３部に配列されたエレメント（以下「エレメント列Ｅ」という。）にスライダーＳが挿通され、このスライダーＳをエレメント列Ｅに沿って摺動させることにより、エレメント列Ｅを噛合又は分離させることによって開口部３を開閉するものである。本実施形態に係る鞄は、周知のスライドファスナーＦを使用することができる。
【００１９】
本実施形態に係る鞄は、図３に示すように、スライダーＳが開口部３の略上端に位置するときに開口部３が閉状態となり、図４に示すように、スライダーＳが開口部３の略下端に位置するときに、開口部３が開状態となる。また、スライダーＳが開口部３の略上端に位置するときに開口部３が開状態となり、スライダーＳが開口部３の略下端に位置するときに開口部３が閉状態となるように、開口部３にスライドファスナーＦを縫着させることもできる。なお、例えば、図２に示すように、左右方向に向けて開口部３を設けた場合、スライダーＳが、開口部３の略右端に位置するときに、開口部３が閉状態となるようにスライドファスナーＦを開口部３に縫着してもよいし、スライダーＳが開口部３の略左端に位置するときに、開口部３が閉状態となるように開口部３にスライドファスナーＦを縫着させてもよい。
【００２０】
スライダーＳは、エレメント列Ｅを噛合させる胴体Ｓ１と、胴体Ｓ１の上面に設けられた引手取付柱Ｓ２と、胴体Ｓ１と引手取付柱Ｓ２とによって形成される引手取付孔Ｓ３に取り付けられた引手Ｓ４を備える。引手取付柱Ｓ２は、引手Ｓ４と、後述する帯状体４とを回動可能に連結することができればどのような構成のものでも構わない。図１に示す引手Ｓ４は、小片部材の引手Ｓ４とリング部材Ｓ５とを連結させ、このリング部材Ｓ５を引手取付孔Ｓ３に取り付ける構成としているが、貫通孔を設けた引手Ｓ４を直接引手取付孔Ｓ３に取り付ける構成としてもよい。また、引手Ｓ４の幅の長さを、後述する帯状体４の幅の長さと略同一にすれば、体裁に優れるので好ましい。
【００２１】
帯状体４は、収納部２の開口部３の一方の端部近傍と、スライドファスナーＦのスライダーＳとの間に取り付けられている。
【００２２】
具体的には、帯状体４の一端側は、前面形成部材１２の裏面における開口部３の下端近傍に縫着され、帯状体４の他端側は、連結部材５を介してスライダーＳに取り付けられている。帯状体４としては、幅広のテープ等を用いることができる。
【００２３】
さらに具体的には、帯状体４の一端側は、前面形成部材１２の裏面における開口部３の下端近傍に、前面１１側より、前面形成部材１２、帯状体４、スライドファスナーＦの順に重なった状態にて縫着されている。帯状体４の他端側は、端部近傍を折り返してループ４１を形成し、このループ４１に連結部材５を取り付けると共に、連結部材５をスライダーＳの引手取付孔Ｓ３に取り付けている。このとき、引手Ｓ４が帯状体４によって覆われないように、連結部材５は、引手取付孔Ｓ３に取り付けられた引手Ｓ４よりも下側に位置するように取り付ける。また、連結部材５としては、Ｄカンを用いることが好ましい。なお、例えば、図２に示すように、左右方向に向けて開口部３を設けた場合、帯状体４の一端側は、前面形成部材１２の裏面における開口部３の左右端のいずれか一方の近傍に縫着させ、帯状体４の他端側をスライダーＳに取り付ける。
【００２４】
帯状体４の幅方向長さは、開口部３の幅の長さと略同一でることが好ましいが、開口部３が閉状態のときに、少なくとも噛合したファスナーエレメント列Ｅを覆うことができればよい。帯状体４の長さは、スライダーＳが閉状態の位置に配置されたときに、帯状体４がピンと張った状態になるように形成されている。
【００２５】
本実施形態に係る鞄によれば、図１及び図３に示すように、開口部３が閉状態の時に、スライドファスナーＦが帯状体４に覆われるので、スライドファスナーＦが外観から視認されず、デザイン性が向上し非常に意匠性に優れたものとなる。また、帯状体４を引っ張ることによって、スライダーＳを摺動させることができるので、例えば、手が不自由な人や、手袋を装着した状態の人でも開口部３の開閉が容易にできる。
【００２６】
また、帯状体４の表面に、種々の模様を施すことができる。例えば、図１のように、帯状体４の表面にストライプの模様を施した帯状体４を、外側面１が無地の鞄に取り付けた場合、開口部３の目印になると共に、デザインの一部を構成することとなるため意匠的にも非常に優れたものとなる。
【００２７】
本実施形態の鞄は、適宜の内容物を入れることができる主袋１６を備え、肩掛け可能な持ち手１７を有する鞄を例示しながら説明したが、鞄の形状は特に限定されず、背負い鞄等でもよい。また、収納部２は、鞄本体の前面１１に限らず、マチ１５や後面等、鞄本体の外側面１に設けることもできる。
【００２８】
以上のとおり、図面を参照しながら本考案の実施形態を説明したが、本考案の趣旨を逸脱しない範囲で種々の追加、変更または削除が可能である。したがってそのようなものも本考案の範囲内に含まれる。
【符号の説明】
【００２９】
１    外側面
１１  前面
１２  前面形成部材
１３  側縁
１４  上縁
１５  マチ
１６  主袋
１７  持ち手
２    収納部
３    開口部
Ｆ    スライドファスナー
ＦＴ  ファスナーテープ
Ｅ    エレメント列
Ｓ    スライダー
Ｓ１  胴体
Ｓ２  引手取付柱
Ｓ３  引手取付孔
Ｓ４  引手
Ｓ５  リング部材
４    帯状体
４１  ループ
５    連結部材
【図１】
0003196969.tif 000003
【図２】
0003196969.tif 000004
【図３】
0003196969.tif 000005
【図４】
0003196969.tif 000006